(57)【要約】【課題】蓄積性蛍光体シートに対する処理状態の影響を受けることなく、読み取った放射線画像情報を無駄なく、しかも効率的に送信することが可能な放射線画像情報読取装置を提供する。【解決手段】主制御部９９は、放射線画像情報読取装置１０全体を制御するとともに、各回路が出力するエラー信号を検出し、検出されたエラーに対応したエラー処理を実行する。画像制御部１００には、読取部駆動回路１１４を介してフォトマルチプライヤ８６が接続されるとともに、記憶部１０２が接続される。記憶部１０２は、１枚の蓄積性蛍光体シートに記録された放射線画像情報を記憶可能な複数のフレームメモリＭ１〜Ｍｎを備える。送信制御部１０４には、記憶部１０２と送信回路１２０とが接続される。主制御部９９および送信制御部１０４は、それぞれ独自にＣＰＵを搭載し、互いに独立に動作する。【選択図】図３
2004109932.tif 000002
【特許請求の範囲】
【請求項１】
放射線画像情報が記録された蓄積性蛍光体シートを収容した１つまたは複数のカセッテが装填可能であり、前記カセッテから取り出した前記蓄積性蛍光体シートに記録された放射線画像情報を読み取って送信する放射線画像情報読取装置であって、
前記カセッテから前記蓄積性蛍光体シートを取り出す一方、前記蓄積性蛍光体シートを前記カセッテに戻すシート体枚葉機構と、
前記蓄積性蛍光体シートに記録された放射線画像情報を読み取る読取部と、
前記カセッテと前記読取部との間で前記蓄積性蛍光体シートを搬送する搬送機構と、
前記読取部で読み取られた放射線画像情報を記憶する記憶部と、
前記シート体枚葉機構による枚葉制御と、前記搬送機構による搬送制御と、前記読取部による読取制御と、前記読取部で読み取られた放射線画像情報の前記記憶部への書込制御と、前記各制御中のエラーチェックおよびエラー処理とを行う主制御部と、
前記主制御部からの画像送信指示に基づき、前記主制御部と独立に動作し、前記記憶部に記憶された放射線画像情報を読み出して送信する送信制御部と、
を備え、前記主制御部は、前記読取部が１枚の前記蓄積性蛍光体シートに記録された放射線画像情報の一部または全ての読み取りを完了するたびに、前記送信制御部に前記画像送信指示を行うことを特徴とする放射線画像情報読取装置。
【請求項２】
請求項１記載の装置において、
前記主制御部は、エラーを検出した場合、前記送信制御部による放射線画像情報の送信処理と独立に、可能な各制御を含むエラー処理を行うことを特徴とする放射線画像情報読取装置。
【発明の詳細な説明】
【０００１】
【発明の属する技術分野】
本発明は、放射線画像情報が記録された蓄積性蛍光体シートを収容した複数のカセッテが装填可能であり、前記カセッテから取り出した前記蓄積性蛍光体シートに記録された放射線画像情報を読み取って送信する放射線画像情報読取装置に関する。
【０００２】
【従来の技術】
本出願人は、特許文献１に示すような放射線画像情報処理システムを提案している。この放射線画像情報処理システムは、人体等の被写体の放射線画像情報を読み取る画像情報読取装置と、放射線画像情報に対して適切な画像処理を施す画像情報処理装置と、放射線画像情報を写真フイルム等の写真感光材料に記録する画像情報記録装置と、放射線画像情報をＣＲＴ等の表示装置に表示し、閲覧を可能とする画像情報閲覧装置と、放射線画像情報を一定期間保存する画像情報保存装置と、患者情報や撮影情報を入力あるいは出力する患者情報入出力装置とをＬＡＮ、ＶＡＮ、インターネット等のネットワークで接続して構成されている。
【０００３】
また、本出願人は、特許文献２に示す画像情報読取装置を提案している。この画像情報読取装置は、カセッテ装填部に装填されたカセッテからシート体枚葉機構によって蓄積性蛍光体シートを取り出した後、取り出された蓄積性蛍光体シートを搬送機構によって読取部まで搬送して蓄積性蛍光体シートに蓄積記録されている放射線画像情報を読み取り、読み取りが終了した蓄積性蛍光体シートを消去部まで搬送して消去部で蓄積性蛍光体シートに残存する放射線画像情報を消去し、消去後の蓄積性蛍光体シートをカセッテまで搬送し、シート体枚葉機構によってカセッテに戻すように構成されている。
【０００４】
この画像情報読取装置で読み取られた放射線画像情報は、ネットワークを介して前記画像情報処理装置に転送され、所望の画像処理が施される。
【０００５】
ところで、前記画像情報読取装置で読み取った放射線画像情報を画像情報処理装置に転送する際、例えば、ネットワークが混雑したり、画像情報処理装置の処理速度が低下して放射線画像情報を送信できない状態になると、未送信の放射線画像情報が画像情報読取装置に蓄積されることになる。
【０００６】
このような状態において、シート体枚葉機構における蓄積性蛍光体シートの取り出しエラーや、搬送機構における搬送エラー等が生じた場合、通常、画像情報読取装置では、例えば、蓄積性蛍光体シートの再取り出しや再搬送を試行し、それでも解消されない場合、装置の状態を初期状態にリセットした後、停止させている。このとき、放射線画像情報が画像情報処理装置に送信されることなく、画像情報読取装置に蓄積されていると、その情報が装置のリセットとともに消去されてしまう。
【０００７】
なお、蓄積性蛍光体シートの場合、一旦画像情報の読み取りが行われると、蓄積されている情報の大半が消失してしまう。従って、消去された放射線画像情報を再び取得するためには、放射線撮影を始めからやり直す必要があり、患者等に大きな負担を強いるという問題がある。
【０００８】
【特許文献１】
特開２００２−１６３６３３号公報（段落［００１７］〜［００３５］、図１）
【特許文献２】
特開２０００−２８４３８８号公報（段落［００１５］〜［００３１］、図１）
【０００９】
【発明が解決しようとする課題】
本発明は、上記の問題を解決するためになされたものであり、蓄積性蛍光体シートに対する処理状態の影響を受けることなく、読み取った放射線画像情報を無駄なく、しかも効率的に送信することが可能な放射線画像情報読取装置を提供することを目的とする。
【００１０】
【課題を解決するための手段】
前記の課題を解決するために、本発明は、放射線画像情報が記録された蓄積性蛍光体シートを収容した１つまたは複数のカセッテが装填可能であり、前記カセッテから取り出した前記蓄積性蛍光体シートに記録された放射線画像情報を読み取って送信する放射線画像情報読取装置であって、
前記カセッテから前記蓄積性蛍光体シートを取り出す一方、前記蓄積性蛍光体シートを前記カセッテに戻すシート体枚葉機構と、
前記蓄積性蛍光体シートに記録された放射線画像情報を読み取る読取部と、
前記カセッテと前記読取部との間で前記蓄積性蛍光体シートを搬送する搬送機構と、
前記読取部で読み取られた放射線画像情報を記憶する記憶部と、
前記シート体枚葉機構による枚葉制御と、前記搬送機構による搬送制御と、前記読取部による読取制御と、前記読取部で読み取られた放射線画像情報の前記記憶部への書込制御と、前記各制御中のエラーチェックおよびエラー処理とを行う主制御部と、
前記主制御部からの画像送信指示に基づき、前記主制御部と独立に動作し、前記記憶部に記憶された放射線画像情報を読み出して送信する送信制御部と、
を備え、前記主制御部は、前記読取部が１枚の前記蓄積性蛍光体シートに記録された放射線画像情報の一部または全ての読み取りを完了するたびに、前記送信制御部に前記画像送信指示を行うことを特徴とする。
【００１１】
本発明によれば、送信制御部は、既に読み込まれた放射線画像情報、あるいは送信中の放射線画像情報を消失させることなく、主制御部による各機構の処理と独立に、記憶部に記憶した放射線画像情報を送信することができる。
【００１２】
【発明の実施の形態】
本発明に係る放射線画像情報読取装置について、好適な実施形態を挙げ、添付の図面を参照しながら以下詳細に説明する。
【００１３】
図１は、本実施形態の放射線画像情報読取装置１０を含む放射線画像情報処理システム１１の概略構成を示すブロック図である。
【００１４】
放射線画像情報処理システム１１は、基本的には、放射線画像情報読取装置１０と、画像情報処理装置１２と、画像情報記録装置１４と、画像情報閲覧装置１６と、画像情報保存装置１８と、患者情報入出力装置２０とをＬＡＮ（Ｌｏｃａｌ　Ａｒｅａ　Ｎｅｔｗｏｒｋ）、ＶＡＮ（Ｖａｌｕｅ　Ａｄｄｅｄ　Ｎｅｔｗｏｒｋ）、あるいは、インターネット等のネットワーク２２で接続して構成される。なお、図１では、各装置をネットワーク２２にそれぞれ１つずつ接続した例を示すが、各装置は必要に応じて複数接続することも可能である。
【００１５】
放射線画像情報読取装置１０は、図示しないＸ線撮影装置などの撮影装置において患者の所定の部位が撮影された蓄積性蛍光体シートに励起光を照射して蓄積記録された患者の放射線画像情報を光電的に読み取り、読み取られた放射線画像情報をネットワーク２２を介して画像情報処理装置１２に転送する。放射線画像情報読取装置１０の構成については、後述する。
【００１６】
画像情報処理装置１２は、患者情報（撮影情報も含む）を入力する機能、放射線画像情報読取装置１０で読み取られた放射線画像情報を受信する機能、受信した放射線画像情報に適切な画像処理を施す機能、画像処理が施された放射線画像情報をネットワーク２２を介して、画像情報記録装置１４、画像情報閲覧装置１６、画像情報保存装置１８に配信する機能等を備えている。
【００１７】
画像情報記録装置１４は、レーザビームプリンタ、あるいは、サーマルヘッドプリンタ等の記録装置を備えて構成され、ネットワーク２２を介して画像情報処理装置１２から受信した放射線画像情報を患者情報と関連付けて、例えば、写真感光材料（感光フイルム）等に記録する。
【００１８】
画像情報閲覧装置１６は、ＣＲＴ（Ｃａｔｈｏｄｅ　Ｒａｙ　Ｔｕｂｅ）、ＬＣＤ（Ｌｉｑｕｉｄ　Ｃｒｙｓｔａｌ　Ｄｉｓｐｌａｙ）、プラズマディスプレイ、ＥＬ（Ｅｌｅｃｔｒｏ　Ｌｕｍｉｎｅｓｃｅｎｔ）パネル等の表示装置を備えて構成される。この場合、表示装置は、表示濃度ダイナミックレンジが広く取れるように、輝度が高く、高精細表示が可能であり、複数の医師や検査技師等を含む検者が同時に閲覧できるように、視野角が広いものが好ましい。画像情報閲覧装置１６は、ネットワーク２２を介して、画像情報処理装置１２から受信した放射線画像情報を患者情報と関連付けて前記表示装置に表示する。
【００１９】
画像情報保存装置１８は、画像情報処理装置１２からネットワーク２２を介して受信した複数の放射線画像情報を患者情報と関連付けて保存し、放射線画像情報のデータベースを構築する。
【００２０】
患者情報入出力装置２０は、キーボード、マウス、モニタ等を備え、患者情報を入力したり、確認したりするための装置である。患者情報入出力装置２０は、画像情報処理装置１２が保持していない他の患者情報を入力してネットワーク２２を介して画像情報処理装置１２に送信したり、あるいは、画像情報処理装置１２に登録されている患者情報を検索し、検索した患者情報をモニタに表示する。
【００２１】
図２は、放射線画像情報読取装置１０の構成を示す。装置本体３０の前面上部には、操作部およびモニタの機能を有するタッチパネル３２が設けられ、タッチパネル３２の下方には、複数、例えば、４つのカセッテ３４を着脱自在なカセッテ装填部３６ａ〜３６ｄが設けられる。
【００２２】
カセッテ３４は、蓄積性蛍光体シート３８を収容する筐体４０と、筐体４０の開口部４２を開閉自在とする蓋体４４とを有している。
【００２３】
蓄積性蛍光体シート３８は、メトリック用、インチ用、マンモ用（２４ｃｍ×３０ｃｍ）等の多種類の異なるサイズを有しており、これら種々の蓄積性蛍光体シート３８を収容するためのカセッテ３４は、それぞれ異なる寸法に設定されている。
【００２４】
カセッテ装填部３６ａ〜３６ｄには、カセッテ３４を載置するための支持台４６が設けられるとともに、装置本体３０の内部を遮光するためのシャッター部材４８が開閉自在に配置される。また、カセッテ装填部３６ａ〜３６ｄには、各種の寸法の異なるカセッテ３４に対応してカセッテ３４の位置を固定するカセッテ位置固定機構（図示せず）と、カセッテ３４の蓋体４４を開閉させる蓋体開閉機構（図示せず）とが組み込まれている。さらに、カセッテ装填部３６ａ〜３６ｄの内部には、カセッテ装填部３６ａ〜３６ｄの任意の１つに対応して配置され、任意のカセッテ３４から蓄積性蛍光体シート３８を取り出す一方、読み取り消去後の蓄積性蛍光体シート３８をカセッテ３４内に戻す昇降枚葉部５０（シート体枚葉機構）が装着される。昇降枚葉部５０は、蓄積性蛍光体シート３８を枚葉するシート体枚葉機構５２と、シート体枚葉機構５２を上下方向（矢印Ａ方向）に進退自在な昇降機構５４とを備える。昇降枚葉部５０と搬送系６０との間には、蓄積性蛍光体シート３８に記録されたバーコードを読み取る専用のバーコードリーダ（図示せず）が設けられている。
【００２５】
昇降枚葉部５０の下方には、搬送系６０（搬送機構）を介して消去部６２および読取部６４が配設される。搬送系６０は、互いに対をなす複数のローラ対６６を備えており、このローラ対６６により構成される鉛直搬送路の下端側に読取部６４が配設される。
【００２６】
読取部６４は、蓄積性蛍光体シート３８を副走査方向（矢印Ｂ方向）に搬送する副走査搬送機構７０（搬送機構）と、副走査方向に搬送される蓄積性蛍光体シート３８に主走査方向（副走査方向と略直交する方向）にレーザ光Ｌを照射する光学系７２と、このレーザ光Ｌの照射によって蓄積性蛍光体シート３８から生ずる輝尽発光光を光電的に読み取る集光系７４とを備えている。
【００２７】
副走査搬送機構７０は、互いに同期して回転駆動される第１および第２ローラ対８０、８２を備え、この第１および第２ローラ対８０、８２はそれぞれ開閉自在である。集光系７４は、蓄積性蛍光体シート３８上のレーザ光Ｌの走査位置に主走査線に沿って配置される光ガイド８４と、光ガイド８４の上部に装着されるフォトマルチプライヤ８６とを備える。
【００２８】
読取部６４の搬送方向前方側には、読み取り後の蓄積性蛍光体シート３８を上方に搬送する搬送部９０（搬送機構）が設けられ、この搬送部９０を介して上方に搬送される蓄積性蛍光体シート３８は、制御回路９２の上方まで搬送された後、水平方向に案内される。
【００２９】
制御回路９２に近接して消去搬送部９４（搬送機構）が設けられる。消去搬送部９４は、制御回路９２の上方に搬送された蓄積性蛍光体シート３８を引き戻し、消去部６２の下面に沿った水平方向（図２中、左側から右側方向）に向かって搬送する。消去搬送部９４の搬送途上には、消去部６２を構成する複数の消去用光源９６が配置されている。消去搬送部９４は、消去部６２を通過した後に上方向に延在して搬送系６０に連結されている。
【００３０】
制御回路９２は、放射線画像情報読取装置１０全体を制御するものであり、ネットワーク２２を介して画像情報処理装置１２と接続されている。
【００３１】
図３は、制御回路９２の制御ブロック図を示す。制御回路９２は、基本的には、主制御部９９と、画像制御部１００と、記憶部１０２と、送信制御部１０４とから構成される。
【００３２】
主制御部９９は、放射線画像情報読取装置１０全体を制御するとともに、各回路が出力するエラー信号を検出し、検出されたエラー信号に対応したエラー処理を実行する。主制御部９９には、カセッテ３４の位置を固定する機構、カセッテ３４の蓋体４４を開閉する機構および昇降枚葉部５０の各機構を駆動するシート枚葉機構駆動回路１１０と、搬送系６０、副走査搬送機構７０、搬送部９０および消去搬送部９４の各機構を駆動するシート搬送機構駆動回路１１２と、読取部６４を駆動する読取部駆動回路１１４と、消去部６２を駆動する消去部駆動回路１１６とが接続される。また、画像制御部１００には、読取部駆動回路１１４を介してフォトマルチプライヤ８６が接続されるとともに、記憶部１０２が接続される。
【００３３】
記憶部１０２は、複数の蓄積性蛍光体シート３８に記録された放射線画像情報を記憶可能な複数のフレームメモリＭ１〜Ｍｎを備える。記憶部１０２は、ＤＲＡＭ、ＳＲＡＭ等の半導体素子で構成してもよいし、あるいは、ハードディスク装置（ＨＤＤ）等で構成してもよい。
【００３４】
送信制御部１０４には、記憶部１０２と送信回路１２０とが接続される。送信回路１２０は、ネットワーク２２を介して画像情報処理装置１２と接続されている。送信制御部１０４は、記憶部１０２から読み出した放射線画像情報を送信回路１２０に出力する。送信回路１２０は、入力した放射線画像情報を所定の通信フォーマットに変換し、所定の通信手順に従って、放射線画像情報を画像情報処理装置１２に転送する。
【００３５】
主制御部９９および送信制御部１０４は、それぞれ独自にＣＰＵを搭載し、互いに独立に動作する。すなわち、主制御部９９は、シート枚葉機構駆動回路１１０、シート搬送機構駆動回路１１２、読取部駆動回路１１４、消去部駆動回路１１６、画像制御部１００を制御し、送信制御部１０４は、主制御部９９からの画像送信指示に従い、主制御部９９の動作と独立して記憶部１０２から放射線画像情報を読み出し、送信回路１２０を介して画像情報処理装置１２に送信する処理を実行する。
【００３６】
本発明の実施形態に係る放射線画像情報読取装置１０は、基本的には、以上のように構成されるものであり、次にその動作並びに作用効果について説明する。
【００３７】
図４は、主制御部９９の処理動作を説明するフローチャートである。この処理は、送信制御部１０４と独立に実行される。先ず、図示しないＸ線撮影装置において患者の所定部位が撮影された蓄積性蛍光体シート３８を収容したカセッテ３４をカセッテ装填部３６ａ〜３６ｄに装填する（ステップＳ１）。カセッテ装填部３６ａ〜３６ｄに装填されたカセッテ３４は、カセッテ３４の位置を固定する機構によってその位置が固定される（ステップＳ２）。その後、カセッテ３４の蓋体４４が開かれ、昇降枚葉部５０によって蓄積性蛍光体シート３８がカセッテ３４から枚葉されて、バーコードリーダに至る（ステップＳ３）。蓄積性蛍光体シート３８に記録されたバーコードがバーコードリーダによって読み込まれた後（ステップＳ４）、蓄積性蛍光体シート３８は、搬送系６０に供給され搬送される（ステップＳ５）。その後、蓄積性蛍光体シート３８は、搬送系６０から副走査搬送機構７０に受け渡され、読取部６４によって蓄積性蛍光体シート３８の放射線画像情報が読み取られる（ステップＳ６）。読み取られた放射線画像情報は、画像制御部１００により記憶部１０２の所定のフレームメモリＭ１〜Ｍｎに書き込まれる。この場合、画像制御部１００は、１枚の蓄積性蛍光体シート３８に記録された放射線画像情報の一部または全ての読み取りを完了するたびに主制御部９９に対して読取終了信号を出力する。読取終了信号を受信した主制御部９９は、送信制御部１０４に対して画像送信指示を行う。
【００３８】
なお、放射線画像情報の一部とは、例えば、所定の画素数あるいはライン数等に分割されたパケット情報のことを意味し、このパケット情報のサイズは任意に設定することができる。
【００３９】
読み取りが終了した蓄積性蛍光体シート３８は、搬送部９０によって消去部６２の上方に搬送された後、消去搬送部９４によって制御回路９２の上方で水平状態となる位置まで搬送される。さらに、蓄積性蛍光体シート３８は、消去搬送部９４によって、消去部６２の下面に沿って水平方向（図２中、左側から右側方向）に搬送されながら、消去部６２によって残存する放射線画像情報が消去される（ステップＳ７）。消去後の蓄積性蛍光体シート３８は、消去搬送部９４から搬送系６０へ受け渡され、搬送系６０によって昇降枚葉部５０まで搬送される。昇降枚葉部５０は、受け渡された蓄積性蛍光体シート３８をカセッテ３４に戻す（ステップＳ８）。カセッテ３４の蓋体４４が閉塞された後、カセッテ３４の位置固定が解除され（ステップＳ９）、作業者によって、カセッテ装填部３６ａ〜３６ｄから消去された蓄積性蛍光体シート３８を収容したカセッテ３４が取り外される（ステップＳ１０）。
【００４０】
次に、放射線画像情報読取装置１０の動作中にエラーが発生した場合の処理につき、図５のフローチャートに従って説明する。
【００４１】
主制御部９９は、放射線画像情報読取装置１０内で発生するエラー情報を常時チェックする（ステップＳ３０）。検出されたエラーが電源異常や、画像情報処理装置１２あるいはネットワーク２２の故障等のようなシステムの致命的なエラーであるか否かを判定する（ステップＳ３１）。致命的エラーが検出された場合、放射線画像情報読取装置１０は、致命的エラーが発生したことを外部に報知し、ネットワーク２２を介して保守要求（修理要求）をサービスセンターに発行する一方、放射線画像情報読取装置１０をシャットダウンする等のシステム停止処理を実行する（ステップＳ３２）。
【００４２】
発生したエラーが致命的エラーではなく、読取部６４による読取前の復旧可能なエラーと判定された場合（ステップＳ３３）、例えば、蓄積性蛍光体シート３８が搬送系６０で搬送されている間に搬送位置ずれ等のエラーが発生した場合、次のようなリトライ処理が実行される。先ず、主制御部９９は、シート搬送機構駆動回路１１２に指示を出し、搬送系６０を逆方向に回転させて、蓄積性蛍光体シート３８を昇降枚葉部５０まで搬送し、次いで、シート枚葉機構駆動回路１１０に指示を出し、昇降枚葉部５０を動作させて蓄積性蛍光体シートをカセッテ３４に戻す（ステップＳ３４）。この後、図４のステップＳ３の処理から再度実行し直し、蓄積性蛍光体シート３８を読取部６４まで再度搬送し、読み取りを行う（ステップＳ３５）。なお、このリトライ処理の間に読取中の蓄積性蛍光体シート３８があった場合、主制御部９９は、その読取処理を継続させることができる。
【００４３】
また、発生したエラーが致命的エラーではなく、読取部６４による読取中あるいは読取後のエラーと判定された場合（ステップＳ３６）、例えば、蓄積性蛍光体シート３８が搬送部９０によって搬送されている間にエラーが発生した場合、蓄積性蛍光体シート３８の読み取りがすでに開始されているため、そのまま消去搬送部９４、消去部６２を介して蓄積性蛍光体シート３８を搬送し、カセッテ３４に収容する処理を実行する（ステップＳ３７）。
【００４４】
図６は、送信制御部１０４の処理動作を説明するフローチャートである。この処理は、主制御部９９とは独立に実行される。送信制御部１０４は、１枚の蓄積性蛍光体シート３８に対する放射線画像情報の一部または全ての読み取りが完了するたびに主制御部９９から供給される画像送信指示に従い（ステップＳ２０）、当該フレームメモリＭ１〜Ｍｎに格納されている放射線画像情報を読み出し、送信回路１２０に出力する（ステップＳ２１）。送信回路１２０は、放射線画像情報を所定の通信フォーマットに変換し、所定の通信手順に従って、放射線画像情報をネットワーク２２を介して、画像情報処理装置１２に送信する（ステップＳ２２）。この場合、放射線画像情報の送信中において、主制御部９９がエラーを検出したとき、主制御部９９はエラー処理を開始するが、送信制御部１０４は、主制御部９９と独立に放射線画像情報の送信処理を継続する。
【００４５】
一方、画像情報処理装置１２は、放射線画像情報読取装置１０から受信した放射線画像情報に対して所定の画像処理を施す。画像処理が施された放射線画像情報は、画像情報記録装置１４において、患者情報と関連付けられて、例えば、写真感光材料に記録され、画像情報閲覧装置１６において、患者情報と関連付けられて表示されて閲覧に供され、あるいは、画像情報保存装置１８に保存される。
【００４６】
以上説明したように、本実施形態の放射線画像情報読取装置１０によれば、記憶部１０２が放射線画像情報を記憶可能な複数のフレームメモリＭ１〜Ｍｎを複数備えるため、画像情報処理装置１２、あるいは、ネットワーク２２により放射線画像情報を送信できない状態になったとしても、蓄積性蛍光体シート３８を読み取る作業を継続することができる。
【００４７】
また、送信制御部１０４は、主制御部９９がエラー処理中であっても、既に読み取られた放射線画像情報を画像情報処理装置１２に送信することができるため、既に読み込まれた放射線画像情報、あるいは送信中の放射線画像情報を消失させることがなく、従って、蓄積性蛍光体シート３８の再読み取り、再撮影等の作業を不要とし、患者等の負担を軽減させることができる。
【００４８】
【発明の効果】
以上のように、本発明によれば、蓄積性蛍光体シートの搬送読取処理およびエラー処理を行う主制御部と、読み取った放射線画像情報を送信する処理を行う送信制御部とを独立に動作させることにより、装置の状態によらず、既に読み取った放射線画像情報を消失することなく有効に送信することができる。この場合、蓄積性蛍光体シートの再読み取り、あるいは、再撮影等の作業を不要とし、患者等の負担を軽減させることができる。
【図面の簡単な説明】
【図１】本実施形態の放射線画像情報読取装置を含む放射線画像情報処理システムの概略構成を示すブロック図である。
【図２】本実施形態の放射線画像情報読取装置の構成図である。
【図３】図１に示す放射線画像情報読取装置に組み込まれる制御回路の制御ブロック図である。
【図４】主制御部の処理動作を説明するフローチャートである。
【図５】主制御部によるエラー処理を説明するフローチャートである。
【図６】送信制御部の処理動作を説明するフローチャートである。
【符号の説明】
１０…放射線画像情報読取装置　　　１１…放射線画像情報処理システム
１２…画像情報処理装置　　　　　　２２…ネットワーク
３８…蓄積性蛍光体シート　　　　　５０…昇降枚葉部
６０…搬送系　　　　　　　　　　　６２…消去部
６４…読取部　　　　　　　　　　　７０…副走査搬送機構
９０…搬送部　　　　　　　　　　　９２…制御回路
９４…消去搬送部　　　　　　　　　９９…主制御部
１００…画像制御部　　　　　　　　１０２…記憶部
１０４…送信制御部　　　　　　　　１１０…シート枚葉機構駆動回路
１１２…シート搬送機構駆動回路　　１１４…読取部駆動回路
１１６…消去部駆動回路
【図１】
2004109932.tif 000003
【図２】
2004109932.tif 000004
【図３】
2004109932.tif 000005
【図４】
2004109932.tif 000006
【図５】
2004109932.tif 000007
【図６】
2004109932.tif 000008